(57)【要約】【課題】使用を続けても軸が緩むことなく、たとえ摩擦によって軸等が磨り減っても隙間の生じることのない蝶番を提供する。【解決手段】第１部材１の両リング２・２の間に第２部材８の挿入部９をはめて両リング２・２の中や両軸受１１・１１の間に上方から軸５を通す。第２部材８にはめている磁石１２・１３が反発し合うことで、左方の磁石１２の左端が右側の軸受１１を押し軸５へ押し付ける。左方の軸受１１も第２部材８に引かれて軸５へ押し付けられる。軸５の外周に隙間がなくなり、作動を繰り返し摩擦によって軸５や軸受１１・１１が磨耗しても隙間が出来ることなく、がたつきも生じない。【選択図】図２
2007309505.tif 000002
【特許請求の範囲】
【請求項１】
第１部材（１）に軸（５）を設けて軸（５）の外周に軸受（１１）を設け、軸受（１１）を囲む部分を設けてその部分で軸受（１１）を囲んだ状態にして第１部材（１）に対し第２部材（８）を連結し、第２部材（８）には互いに反発し合う二つの磁石（１２）及び磁石（１３）を設けてその反発力で軸受（１１）を軸（５）へ押し付けるようにした蝶番。
【請求項２】
互いに反発し合う二つの磁石（１２）及び磁石（１３）の代りにばねを設けてばねの弾力で軸受（１１）を軸（５）へ押し付けるようにしたことを特徴とする、請求項１記載の蝶番。
【請求項３】
第１部材（１）に軸（５）を設け、軸（５）を囲む部分を設けてその部分で軸（５）を囲んだ状態にして第１部材（１）に対し第２部材（８）を連結し、互いに吸着し合う二つの磁石を軸（５）の外周に配置して一方の磁石を第２部材（８）側に固定した蝶番。
【請求項４】
磁性体で製作した軸（５）を第１部材（１）に設け、軸（５）を囲む部分を設けてその部分で軸（５）を囲んだ状態にして第１部材（１）に対し第２部材（８）を連結し、第２部材（８）に磁石を固定して第１部材（１）の軸（５）に磁石を吸着させるようにした蝶番。
【請求項５】
軸（５）を第１部材（１）に設け、軸（５）を囲む部分を設けてその部分で軸（５）を囲んだ状態にして第１部材（１）に対し第２部材（８）を連結し、第２部材（８）にばねを設けてばねの弾力で第１部材（１）の軸（５）を押圧するようにした蝶番。
【請求項６】
軸（５）を第２部材（８）に設け、軸（５）を囲む部分を設けてその部分で軸（５）を囲んだ状態にして第２部材（８）に対し第１部材（１）を連結し、第２部材（８）に磁石又はばね（１５）を設けて磁石の磁力又はばね（１５）の弾力で軸（５）を囲んだ部分を軸（５）に押し付けるようにした蝶番。
【発明の詳細な説明】
【技術分野】
【０００１】  本発明は、二つの部材を相対的に回転自在に連結する蝶番に関するものである。
【背景技術】
【０００２】  例えば眼鏡フレームにおいては、フロントフレームの両端のヨロイに二つのリングを上下平行に設け、下のリングには雌ねじを切っている。両テンプルの前端に設けたリングをヨロイの両リング間にはめ、上方からねじを各リングに通し下方のリングの雌ねじにねじ込むことで、フロントフレームに対し折畳み自在に両テンプルを取り付けている。ねじは緩み易いため、ワッシャ等により緩み止めを施している。そして、軸としてねじやピンを用いた、同等・類似の機構を利用した蝶番もいろいろと開発され広く使用されている。
【発明の開示】
【発明が解決しようとする課題】
【０００３】  前記従来の蝶番には次のような欠点があった。例えば眼鏡フレームにおいてねじを用いたものでは、緩み防止策が施されていても雌ねじのねじ山が少ないため、使用を続けるうちにねじが緩み、テンプルがばたつくようになった。ねじが脱落してしまうこともあった。ねじのねじ込み量の調節も難しかった。きつくねじ込むと作動が硬くなり、緩めに調節するとすぐに緩んでしまった。また、作動を繰り返すうち接触部が摩擦によって磨り減り、隙間が出来て同じくばたつきが生じ、作動に支障を来すこともあった。ねじではなくピン等を軸として用いた蝶番においても、同様の欠点を示した。【０００４】  本発明が解決しようとする課題は、使用を続けてもピン等の軸が緩むことなく、たとえ摩擦によって軸等が磨り減っても隙間の生じることのない蝶番を提供する点にある。
【課題を解決するための手段】
【０００５】  請求項１に係る蝶番は、第１部材１に軸５を設けて軸５の外周に軸受１１を設け、軸受１１を囲む部分を設けてその部分で軸受１１を囲んだ状態にして第１部材１に対し第２部材８を連結し、第２部材８には互いに反発し合う二つの磁石１２及び磁石１３を設けてその反発力で軸受１１を軸５へ押し付けるようにしたものである。【０００６】  請求項２に係るものは、請求項１記載のものにおいて、互いに反発し合う二つの磁石１２及び磁石１３の代りにばねを設けてばねの弾力で軸受１１を軸５へ押し付けるようにしたことを特徴とするものである。【０００７】  請求項１・２に係るものにおいては、第２部材８に設けた磁石１２・１３の反発力又はばねの弾力によって軸受１１が第１部材１に設けた軸５に常に押し付けられている。【０００８】  請求項３に係るものは、第１部材１に軸５を設け、軸５を囲む部分を設けてその部分で軸５を囲んだ状態にして第１部材１に対し第２部材８を連結し、互いに吸着し合う二つの磁石を軸５の外周に配置して一方の磁石を第２部材８側に固定したものである。【０００９】  請求項４に係るものは、磁性体で製作した軸５を第１部材１に設け、軸５を囲む部分を設けてその部分で軸５を囲んだ状態にして第１部材１に対し第２部材８を連結し、第２部材８に磁石を固定して第１部材１の軸５に磁石を吸着させるようにしたものである。【００１０】  請求項５に係るものは、軸５を第１部材１に設け、軸５を囲む部分を設けてその部分で軸５を囲んだ状態にして第１部材１に対し第２部材８を連結し、第２部材８にばねを設けてばねの弾力で第１部材１の軸５を押圧するようにしたものである。【００１１】  請求項３・４・５に係るものにおいては、第２部材８に設けた磁石又はばねが第１部材１に設けた軸５に常に押し付けられている。【００１２】  請求項６に係るものは、軸５を第２部材８に設け、軸５を囲む部分を設けてその部分で軸５を囲んだ状態にして第２部材８に対し第１部材１を連結し、第２部材８に磁石又はばね１５を設けて磁石の磁力又はばね１５の弾力で軸５を囲んだ部分を軸５に押し付けるようにしたものである。請求項６に係るものにおいては、軸５を囲んだ第１部材１の部分が第２部材８の軸５に常に押し付けられている。
【発明の効果】
【００１３】  本発明に係る蝶番においては、軸受１１、磁石又はばねが第１部材１の軸５に常に押し付けられ、または軸５を囲んだ第１部材１の部分が第２部材８の軸５に常に押し付けらている。このため、使用を続けても軸５が緩むことなく、摩擦によって摩擦部が磨り減っても隙間が生じず、がたつきも生じない。
【発明を実施するための最良の形態】
【００１４】  本発明を実施するための最良の形態を図１及び図２に基づいて説明する。図２は本発明を実施するための最良の形態を示す分解斜視図、図１は図２に示したものを組み立てたものを水平面で切断した断面図である。この実施の形態は眼鏡フレームに関するものである。１は第１部材を示しているが、眼鏡フレームの実施形態ではヨロイを意味する。第１部材１の右端側には二つのリング２・２を水平に間隔をあけて平行に設け、上方のリング２の内側１か所にくぼみ３を設けている。そして、第１部材１の左端に眼鏡フレームのフロントフレーム４を取り付けている。【００１５】  第１部材１のリング２・２にちょうどはまる軸５を用意している。軸５の上端にはつばを設け、第１部材１の上方のリング２に設けたくぼみ３にちょうどはまる突起６を軸５の上方部に設けている。軸５の下端には止め輪７をはめるようにしている。【００１６】  第２部材８を用意している。第２部材８は、眼鏡フレームの実施形態ではテンプルを意味する。第２部材８の左端部は、ヨロイである第１部材１の両リング２・２間にちょうどはまる形状に形成して挿入部９とし、挿入部９には方形の貫通穴１０を上下方向にあけている。左右対称形で左右片の中央に軸５がちょうどはまる円形の穴が形成されて左右片の間に少しの隙間が形成されるようにした左右の軸受１１・１１を貫通穴１０内にはめている。第２部材８には、貫通穴１０の右方位置において貫通穴１０と同じ高さ・幅とした方形のくぼみを貫通穴１０から右方へと延長させて設けている。互いに反発し合う方形の磁石１２および磁石１３を直列にしてそのくぼみにはめている。【００１７】  以上のものを組み立てるには、第１部材１の両リング２・２の間に第２部材８の挿入部９をはめて両リング２・２の中や両軸受１１・１１の間に上方から軸５を通し、軸５の突起６を上方のリング２のくぼみ３にはめた状態にする。最後に軸５の下端に止め輪７をはめると組み立てが完了する。第２部材８にはめている磁石１２・１３が反発し合うことで、左方の磁石１２の左端が右側の軸受１１を左方へ押し軸５へ押し付ける。左方の軸受１１も第２部材８に右方へ引かれて軸５へ押し付けられる。軸５の外周に隙間がなくなり、作動を繰り返し摩擦によって軸５や軸受１１・１１が磨耗しても、隙間が出来ることなく、がたつきを防ぐ。【００１８】  以上のものにおいて、磁石１２・１３を使用せず代りにばねを使用しても、同様の作用を奏する。または、磁石１２・１３を使用せず軸受１１・１１の個所に互いに吸着し合う磁石二つを使用し一方の磁石を第２部材８側に固定しても、同様の作用を奏する。軸５を磁性体で製作し、左方又は右方の軸受１１の代りに磁石を使用し、磁石を第２部材８側に固定しても同様の作用を奏する。軸５を磁性体製としなくても磁石の代りにばねを使用し、ばねを第２部材８側に固定し、同様のものとすることができる。
【実施例】
【００１９】  実施例を図３及び図４に基づいて説明する。図３は実施例を示す分解斜視図、図４は図３に示したものを組み立てたものの縦断面図である。この実施例も、眼鏡フレームに関するものである。第１部材１の右端側に円筒状の一つのリング２を設け、リング２の中央外周に水平に溝１４を設けている。第１部材１の左側にフロントフレーム４を取り付けている。【００２０】  第２部材８の左端側に上方から垂直下方へ向けて軸５を固定して取り付けている。軸５の外径は第１部材１のリング２の中心穴の径よりやや小さいものとしている。そして、軸５へ向け円形の細長いくぼみを第２部材８の長手方向に設け、そのくぼみにばね１５をはめている。ばね１５の左端側にストッパー１６を配置し、ストッパー１６をばね１５で左方へ付勢している。ストッパー１６の左側は半球状に形成し、右端にはつばを形成して第２部材８のくぼみから抜け出ないようにしている。【００２１】  第１部材１のリング２に第２部材８の軸５を差し込んでいくとき、ばね１５に付勢されたストッパー１６がリング２に押さればね１５をやや押し縮めながらリング２の外周を滑って下降する。溝１４の位置に達したところでばね１５に押されてストッパー１６が前進し、溝１４内にはまる。第２部材８の取付けが終り、図４に示す状態になる。第２部材８を取り外すには、やや力を加えながら軸５の部分を垂直に引き抜く。ばね１５をやや押し縮めながらストッパー１６がリング２の外周を通過し、軸５が外れて第２部材８の取外しが終る。すなわち、実施例のものは、第２部材８であるテンプルをワンタッチで取付け及び取外しができるようにしたものである。
【図面の簡単な説明】
【００２２】
【図１】図２に示したものを組み立てたものを水平面で切断した断面図である。
【図２】本発明を実施するための最良の形態を示す分解斜視図である。
【図３】実施例を示す分解斜視図である。
【図４】図３に示したものを組み立てたものの縦断面図である。
【符号の説明】
【００２３】  １  第１部材    ２  リング    ５  軸    ８  第２部材    １１  軸受    １２  磁石    １３  磁石    １５  ばね
【図１】
2007309505.tif 000003
【図２】
2007309505.tif 000004
【図３】
2007309505.tif 000005
【図４】
2007309505.tif 000006